(57)【要約】【課題】    防水機能を有さないキーボードに、簡単に防水機能を付与する。【解決手段】    キーボードと共に用いるのに適したカップ置きは、水平に配置されて飲み物のカップを置くのに適したカップ置き部と、前記カップ置き部の１方向端部近傍で高さ方向に立ち上がり、前記カップ置き部上方から液体が飛来する時、その液体を止められる液止め部とを含む。  【選択図】  図１
2015232821.tif 000002
【特許請求の範囲】
【請求項１】
キーボードと共に用いるのに適したカップ置きであって、水平に配置されて飲み物のカップを置くのに適したカップ置き部と、前記カップ置き部の１方向端部近傍で高さ方向に立ち上がり、前記カップ置き部上方から液体が飛来する時、その液体を止められる液止め部とを含むカップ置き。
【請求項２】
さらに、前記カップ置き部に連続し、キーボード下方に水平に配置するのに適した挿入部を有し、前記液止め部は前記カップ置き部と前記挿入部との間に配置される、請求項１に記載のカップ置き。
【請求項３】
前記液止め部は、前記カップ置き部から分離可能である、請求項１または２に記載のカップ置き。
【請求項４】
前記カップ置き部は、前記液止め部の下端と係合する溝を有する、請求項３に記載のカップ置き。
【請求項５】
前記溝と前記液止め部の下端との断面は、テーパ形状を有する、請求項４に記載のカップ置き。
【請求項６】
前記溝は前記カップ置き部面内で屈曲する部分を有し、前記液止め部は、前記カップ置き部と係合した状態で屈曲した面を形成する請求項４または５に記載のカップ置き。
【請求項７】
前記液止め部は、複数の板状部材で構成される請求項３〜６のいずれか１項に記載のカップ置き。
【請求項８】
前記液止め部は、平坦な板状とすることができ、前記カップ置き部と重ね合わせた状態で収納できる、請求項１〜７のいずれか１項に記載のカップ置き。
【発明の詳細な説明】
【技術分野】
【０００１】
本発明は、カップ置きに関し、特にキーボードと組み合わせて用いるのに適したカップ置きに関する。
【背景技術】
【０００２】
パソコンに搭載又は接続されているキーボードは、多数の上下動可能なキーを含む。各キーは、弾性部材で支持され、上方から押圧することにより下方に移動してスイッチを閉じ、押圧を解放することにより弾性力に従って上方に復帰してスイッチを開く。
【０００３】
パソコンの近くに茶、コーヒ等の飲み物を入れたカップをおいて、キーボードを操作する場合も多い。何かの拍子にカップの液体をキーボード上にこぼしてしまうこともある。こぼれた液体が原因となって、パソコンの動作が停止したり、パソコンが故障、ないし破壊してしまうこともある。
【０００４】
液体を用いる環境で使用するパソコン用等に、防水型キーボードも提案されている。キーを配置したパネルと、パネル下方に配置されたマザーボードとの間に、耐液性シールを配置して、液体がキーボード上に流れ落ちてもマザーボード上に流れ込むのを防止できる構造（例えば特許文献１）や、キーを受け入れる複数の開口を有するパネルの底面に封止層を配置し、パネルの開口部を囲むように封止層をパネルに接着して、キー上に液体をこぼしても、その液体がマザーボードに流入することを防止する構造（例えば特許文献２）等が提案されている。
【先行技術文献】
【特許文献】
【０００５】
【特許文献１】特開平７−３３４２８３号公報、
【特許文献２】特開２００９−５９３４０号公報。
【発明の概要】
【発明が解決しようとする課題】
【０００６】
防水型キーボードは構造が複雑になる。防水性能を有さないキーボードを使用している場合、防水機能を得ようとすると、少なくとも新たなキーボードを購入する必要が生じる。防水機能を有さないキーボードに、簡単に防水機能を付与することができれば望ましい。
【課題を解決するための手段】
【０００７】
実施例によれば、
キーボードと共に用いるのに適したカップ置きであって、水平に配置されて飲み物のカップを置くのに適したカップ置き部と、前記カップ置き部の１方向端部近傍で高さ方向に立ち上がり、前記カップ置き部上方から液体が飛来する時、その液体を止められる液止め部とを含むカップ置き
が提供される。
【発明の効果】
【０００８】
パソコン使用者が、飲み物を飲もうとしてカップを取り上げようとし、間違って液体をこぼしてしまっても、液止め部に当たれば液体の飛行を止めることができ、キーボードに液体が掛かるのを防止できる。
【図面の簡単な説明】
【０００９】
【図１】図１Ａ−１Ｄは第１の実施例によるカップ置きを示し、図１Ａはパソコンと組み合わせたカップ置きを示す斜視図、図１Ｂ，１Ｃはカップ置き単独の側面図、使用時のカップ置きの側面図、図１Ｄは折りたたんだ状態のカップ置きの側面図である。
【図２】図２Ａ−２Ｅは第２の実施例によるカップ置きを示し、図２Ａはカップ置きの側面図、図２Ｂは基部の側面図、図２Ｃは基部の上面図、図２Ｄは液止め板の平面図、図２Ｅは基部の溝に液止め板の係合部を係合した状態の斜視図である。
【図３】図３Ａは、第３の実施例によるカップ置きを示す斜視図、図３Ｂ，３Ｃ，３Ｄは構成部材の平面図、図３Ｅは、液止め部の係合部分を示す側面図である。
【図４】図４Ａは独立型カップ置きの変形例を示す斜視図、図４Ｂは液止め部の平面図、図４Ｃは液止め部下端と溝の係合部を示す側面図である。
【図５】図５は液止め板の支持構造を追加した変形例を示す斜視図である。
【符号の説明】
【００１０】
１  カップ置き、２  挿入部、３  カップ置き部、４  液止め部、５  基部、６  保持溝、７  液止め板、８  係合部、９  屈曲部、１０  パソコン、１１  キーボード、１２  本体、１４  ディスプレイ、１５  カップ置き部、１６  溝、１７  液止め部、１８  係合部、２０  カップ、２１  液体、
【発明を実施するための形態】
【００１１】
図１Ａ−１Ｄは、第１の実施例によるカップ置きを示す。図１Ａに示すように、カップ置き１は、その一部をノート型パソコン１０の本体１２下方に挿入して用いる。パソコン１０の本体１２の上面には、キーボード１１が配置されている。液晶表示装置などのディスプレイ１４は、回転可能な軸により本体１２と結合されている。
【００１２】
図１Ｂに示すように、カップ置き１は、本体１２に備えられたキーボード１１下方に水平に配置する挿入部２と挿入部２に連続し、水平に配置されて飲み物のカップを置くのに適したカップ置き部３と、挿入部とカップ置き部との間で高さ方向に立ち上がる液止め部４を含んで構成される。カップ置き１は、例えば種々の有機樹脂材料を用いて形成できる。挿入部２とカップ置き部３を耐久性、強度のあるシリコーン樹脂などの可撓性材料で形成し、液止め部４を液撥ねを防げる発泡性材料等で形成してもよい。勿論、全体を同一材料で形成してもよい。
【００１３】
図１Ａに示すように、パソコン１０の使用者は、カップ置き１の挿入部２をパソコン１０のキーボード１１を備えた本体１２下方に挿入し、カップ置き１のカップ置き部３上に飲み物のカップ２０を置く。挿入部２がパソコン本体１２で固定される形態となり、カップ置き１は安定に保持される。
【００１４】
図１Ｃに示すように、パソコンの使用者が誤ってカップ２０を傾けて、中に入っている液体２１をこぼしてしまっても、カップ置き１の液止め部４に当たった液体２１は、キーボード１２上に飛来、乃至流れ込むことを防止される。このように、液止め部４は、カップ置き部３上方から挿入部２上方に飛来する液体を止める機能を有する。また、カップ２０に入れていた液体全体がカップ置き部３上に流れ出ても、パソコン１０のキーボード１１及び本体１２が、流れ出た液体２１によって、機能を損なうことは防げる。
【００１５】
図１Ｄは、不使用時に、カップ置き１を畳んだ状態を示す。例えば、挿入部２、カップ置き部３を可撓性樹脂材料で形成し、折り曲げ可能とすることにより、挿入部２、液止め部４、カップ置き部３を積層した形にまとめることができる。不使用時の収納に場所を取らない利点が得られる。
【００１６】
図２Ａ−２Ｅは、第２の実施例によるカップ置きを示す。図２Ａに示すように、カップ置き１は、水平面上に配置するのに適した板状の形状と上面に形成した溝６を有する基部５と、基部５の溝６内に係合部８をはめ込み、上方に立ち上がる液止め板７とを含む。
【００１７】
図２Ｂ、２Ｃは、液止め板７をはめ込んでいない状態の基部５の側面図と上面図である。溝６は、図２Ｂに示すように基部５の上面から下方に向って広がる幅を有する順テーパ型断面形状を有し、図２Ｃに示すように基部５の面内方向において屈曲する屈曲部９を有する。
【００１８】
図２Ｄは、自由状態での液止め板７の平面図を示す。液止め板７は、自由状態では平らな板状であり、下端に厚さが両側に徐々に増加する順テーパ型の係合部８を備えている。液止め板７を基部５に結合する時は、例えば液止め板７の端部の係合部８を、基部５の溝６の１端にはめ込み、液止め板７の係合部８を押し込んで溝６の他端まで達するようにする。屈曲性を有する樹脂等で形成することにより、液止め板７は、溝６の屈曲部９では屈曲部９の形状に倣って徐々に湾曲する。
【００１９】
図２Ｅは、基部５の溝６に係合部８をはめ込むことにより屈曲した状態の液止め板７を示す斜視図である。液止め板７は面法線方向に屈曲した３次元形状となることにより、強度が強められる。必要な強度を満たす材料の選択範囲を広げることができる。
【００２０】
不使用時には、液止め板７を基部５から外すことにより、図２Ｃ，２Ｄに示すような２枚の平坦な板状部材とすることができる。収納場所は、大きな厚さを必要としない。
【００２１】
図３Ａ−３Ｅは、第３の実施例によるカップ置きを示す。図３Ａに示すように、デスクトップ型パソコンのキーボード１００の近傍にカップ置き１が置かれる。キーボード１００は多数のキートップ１０１を有し、その下にキースイッチを含む回路部を有する。カップ置き１は、カップ２０を置くための水平板状の基部１５と基部１５から上方に立ち上がる液止め部１７Ａ，１７Ｂを含む。このカップ置きはキーボードの下に挿入する挿入部は有さず、任意の場所に配置してよい。挿入部を持たないカップ置きを独立型カップ置きと呼ぶ。
【００２２】
図３Ｂに示すように、基部１５は、左辺と奥側辺の近傍に２本の溝１６Ａ，１６Ｂを有する。溝１６Ｂは溝１６Ａと合体して終端している。
【００２３】
図３Ｃ，３Ｄは液止め部１７Ａ，１７Ｂ（まとめて１７とすることがある）の平面図である。それぞれ板状部材の底辺側に結合部１８Ａ，１８Ｂ（まとめて１８とすることがある）を備えている。図３Ｅは、液止め部１７の結合部１８と基部１５の溝１６との結合状態を示す側面図である。第２の実施例同様、テーパ形状の溝１６にテーパ形状の結合部１８はめ込まれている。
【００２４】
図４Ａ，４Ｂ、４Ｃは、独立型カップ置きの変形例を示す。図４Ａに示すように、楕円形板状の基部１５の上面に液止め部１７が結合している。図４Ｂに示すように、自由状態の液止め部１７は、平坦な板状となり、収納は容易である。図４Ｃに示すように、基部１５上面に形成される溝１６は、テーパ形状の断面でなく、矩形断面を有する。液止め部１７の係合部もテーパ形状は有さず、一定厚さである。板状の液止め部１７を曲げて溝１６に挿入すると、液止め部１７と溝１６との間に液止め部１７の復元力による結合が生じる。例えば、内側から液体が液止め部１７に当たっても、液止め部１７は容易には倒れず、基部との結合も外れない。
【００２５】
図５は、第１の実施例を例として、液止め板の支持構造を追加した変形例を示す。カップ置き部３の右奥に切れ目等の係合部２３を形成し、液止め板４の上奥に切れ目等の係合部２４を形成し、両係合部２３，２４間にストライプ状等の支持部材２５を張る。支持部材２５は例えばプラスチックテープで形成できる。
【００２６】
液止め板４が左側に倒れようとする時、支持部材２５が引き止める。カップ置き部３上方から左方向に向かう液流が液止め板４に当たっても、液止め板４は容易には倒れたり、折れたりしなくなる。液止め板の構造、支持部を簡単な構成にしても、十分機能を果たす構成が得られる。
【００２７】
なお、実施例１を例として補助的な支持部材を設ける構成を説明したが、他の実施例においても同様の補助的な支持部材を設けることが可能である。例えば、第２に実施例においては、基部５の右奥と液止め板７の上奥に係合部を形成し、支持部材で連結することができる。第３の実施例においては、カップ置き部１５の右奥と液止め板１７Ａの上奥に係合部を形成し、補助支持部材で連結したり、液止め板１７Ａ上奥と液止め板１７Ｂの左上端とに係合部を形成し、補助支持部材で連結したいすることができる。補助支持部材の形状もストライプ状に限るものではない。
【００２８】
以上、実施例に沿って本発明を説明したが、これらは制限的なものではない。例示した材料、構造、形状等は種々変更可能である。例えばカップ置き部を構成する板状部材裏面に難滑性樹脂面を形成してもよい。その他、種々の置換、変更、改良、組み合わせなどが可能なことは当業者に自明であろう。
【図１】
2015232821.tif 000003
【図２】
2015232821.tif 000004
【図３】
2015232821.tif 000005
【図４】
2015232821.tif 000006
【図５】
2015232821.tif 000007